(57)【特許請求の範囲】
【請求項１】
プラントのプロセス状態を制御する複数の操作端と、
前記複数の操作端にそれぞれ対応し、該対応する操作端の状態を表示する複数の操作フレームを表示する表示装置と、
前記表示装置とは別に設けられ、前記複数の操作端への操作指示を受け付けると共に、異なる色でそれぞれ色分けされた２つの操作受付ボタンと、
前記表示装置に表示された複数の操作フレームから任意の操作フレームを選択する選択指示を受け付けると共に、この受け付けた操作フレームを前記異なる色のいずれかへ変化させるフレーム表示対話手段と、
を具備することを特徴とするオペレーション装置。
【発明の詳細な説明】
【技術分野】
【０００１】
本発明は、プラント監視操作装置を構成する表示装置に監視対象プラントの監視画像    を表示させ、かつ該監視画像中に示される制御操作端をポイント指示して制御操作を行うようにしたオペレーション装置に関する。
【背景技術】
【０００２】
一般に、発電プラントなどの各種プラント施設では、中央操作室に設置されるプラント監視操作装置を用いることで運転状態の監視、および該監視に伴う制御操作を集中的に行うようにしている。この場合、プラント監視操作装置は、該監視操作装置を構成する制御盤の表示装置上に監視対象プラントの運転状態を画像表示させて監視し、かつ該制御盤面に設けられる各制御操作スイッチ類などにより、プラントの制御操作を行うようにしている。
【０００３】
ここで、この種のプラント監視操作装置においては、近年に至り、中央操作室内の有効スペースの確保、および運転状態の制御操作の合理化などの点に鑑み、該プラント状態を制御する各制御操作スイッチ類などに代わる各制御操作端を表示装置のＣＲＴ画面上に表示される監視画像中に移し替えて取り込み、かつ該各制御操作端への選択的なオペレータの指先の直接タッチによるポイント指示入力で、該当するスイッチングなどの制御操作を行うようにした、いわゆるＣＲＴオペレーション装置の導入が図られている。同時に、このＣＲＴオペレーション装置に対するオペレータのインタフェースについてもまた、該監視操作装置の技術面での進歩に伴って多くの改良が重ねられてきている。
【０００４】
従来のこの種のＣＲＴオペレーション装置を含むプラント監視操作装置の概要について、図１５を参照して説明する。
【０００５】
図１５は、従来のＣＲＴオペレーション装置を含むプラント監視操作装置の基本的な構成の概要を示すブロック図である。
【０００６】
この図１５に示す装置構成において、従来のＣＲＴオペレーション装置を含むプラント監視操作装置は、監視対象としてのプラント１０１の各制御操作端（以下、「操作端」という）の状態、プラント状態量の入力、および操作出力を行う制御装置１０２と、制御装置１０２からの各操作端の状態、およびプラント状態量を入力する情報入力手段１０３と、情報入力手段１０３から入力されるプラント状態量をＣＲＴ画面（以下、単に「画面」という）上に表示すると共に、オペレータによる各選択操作端の選択を受け付ける対話処理手段１０５とを有している。該対話処理手段１０５には、各操作端を含む画面情報を記憶する画面情報記憶部１２０、オペレータによってグループ化された各操作端を登録して記憶するグループ操作端記憶部１２２、および操作フレーム番号と各選択操作端との関係を記憶するＴＡＧ番号情報記憶部１２３が設けられている。
【０００７】
また、オペレータへの表示操作端選択の入力を行う表示装置１０７と、選択した操作端に対応する操作スイッチおよび状態量を表示すると共に、オペレータによる制御操作を受け付けるフレーム表示対話手段１０６とが備えられ、該フレーム表示対話手段１０６には、各操作端の情報を記憶するフレーム情報記憶部１２１が設けられている。
【０００８】
さらに、各制御操作端に対する操作の実行を行う操作入力装置、例えば、操作キーボード（以下、「操作Ｋ／Ｂ」という）１０８ａと、該操作Ｋ／Ｂ１０８ａからの操作を受け付ける操作Ｋ／Ｂ入出力手段１０９と、操作信号を制御装置１０２に出力する操作信号出力手段１０４とが備えられ、これらの各部によって装置の全体を構成している。
【０００９】
次に、上記従来装置での通常時の動作について述べる。
【００１０】
制御装置１０２は、プラント１０１の制御対象となる各制御操作端状態、およびプラント状態量を周期的に入力する。情報入力手段１０３は、制御装置１０２に入力される各操作端状態、およびプラント状態量と、該制御装置１０２自体の状態とを周期的に入力する。
【００１１】
対話処理手段１０５は、表示装置１０７を介したオペレータからの操作端選択画面の要求に伴い、次の３種類の態様にて選択を行う。
【００１２】
すなわち、まず、系統図表示画面からの操作端の選択要求の場合には、画面情報記憶部１２０から各操作端を含む系統図の画面情報を入力して表示装置１０７の画面上に表示する。オペレータは、該系統図表示画面の操作端シンボルを選択することにより、該当操作端番号をフレーム表示対話手段１０６に通知する。
【００１３】
また、グループ操作からの制御操作端の選択要求の場合には、あらかじめオペレータが登録記憶させておいたグループ操作端記憶部１２２からグループ情報を入力して表示装置１０７のＣＲＴ画面上に表示した上で、オペレータは、系統図の表示画面のグループ群の中から該当操作端の属するグループを選択することにより、グループに登録されている該当操作端番号をフレーム表示対話手段１０６に通知する。
【００１４】
また、オペレータが該当操作端のＴＡＧ番号をあらかじめ認識している場合には、そのＴＡＧ番号を直接入力する。対話処理手段１０５は、ＴＡＧ番号情報記憶部１２３からＴＡＧ番号情報を読み出して、該ＴＡＧ番号の妥当性チエックを行うと共に、これを操作端番号に変換してフレーム表示対話手段１０６に通知する。
【００１５】
一方、フレーム表示対話手段１０６では、通知を受けた操作端番号に該当する操作フレーム情報をフレーム情報記憶部１２１から取り出して表示装置１０７の画面上に表示する。オペレータは、表示されている操作フレームに対して開閉などの動作選択を行い、フレーム表示対話手段１０６は、該動作内容を操作Ｋ／Ｂ入出力手段１０９に通知する。
【００１６】
操作Ｋ／Ｂ入出力手段１０９は、通知された動作内容に応じて操作Ｋ／Ｂ１０８ａの該当プッシュボタン（ＰＢ）をフリッカさせる。オペレータが該フリッカしているＰＢをＯＮ操作することにより、これを動作実行通知として入力する。該動作実行通知の入力に伴い、この操作Ｋ／Ｂ入出力手段１０９では、操作端情報とその動作内容を操作指令として操作信号出力手段１０４へ出力する。
【００１７】
さらに、操作信号出力手段１０４では、入力情報に対応して、該当制御操作端に対する制御装置アドレスおよび動作内容に対する動作量、状態を操作信号として制御装置１０２に出力し、該制御装置１０２が、制御装置アドレスの該当する制御回路に動作量、状態を出力してプラント１０１の該当操作端を制御作動させる。
【００１８】
次に、上記構成による従来のＣＲＴオペレーション装置での各制御操作端に対する制御操作指令の出力処理について説明する。
【００１９】
図１６は、従来のＣＲＴオペレーション装置の構成の概要と制御操作指令の流れを示すブロック図である。
【００２０】
この図１６の装置構成において、従来のＣＲＴオペレーション装置５００ａでは、ＣＲＴモニタ５０１によってプラント系統を模式した画面（以下、「系統画面」という）を表示し、オペレータは、該系統画面上で制御操作する対象操作端を指先でタッチして制御入力する。
【００２１】
また、操作端番号設定手段５０３は、オペレータによって選択された箇所の該当操作端に割り付けられている固有の番号（以下、「操作端番号」という）を画面上の座標位置から割り出して装置内に記憶させ、該操作端番号を後述の操作端指令出力処理手段５０５に通知する。
【００２２】
次に、オペレータは、選択した操作端への制御操作量を操作Ｋ／Ｂ５０２ａから入力し、該制御操作量を操作量設定手段５０４に記憶させ、同様に、後述の操作端指令出力処理手段５０５に通知する。
【００２３】
これらの該当操作端に対する操作端番号、および制御操作量が通知された操作端指令出力処理手段５０５は、ネットワークを介することで下位制御装置５０８に操作端指令信号を送信する。該操作端指令信号を受信した下位制御装置５０８では、操作端該当のプラント機器５０９に制御信号を出力し、該プラント機器５０９を所望通りの制御操作量で制御作動させる。
【００２４】
一方、制御されたプラント機器５０９での制御作動後の動作情報は、再び下位制御装置５０８によって収集された後、該下位制御装置５０８からネットワークを介してＣＲＴオペレーション装置５００ａ側に返信される。
【００２５】
そして、ＣＲＴオペレーション装置５００ａ側では、送信されてくるプラント機器５０９の動作情報をプラント情報読み込み手段５０６によって受信すると共に、該受信した制御操作後の動作情報を後述のプラント情報表示手段５０７に通知してＣＲＴモニタ５０１のＣＲＴ画面上に表示させる。
【００２６】
以上のように、オペレータは、ＣＲＴ画面上に表示される操作端情報を確認することにより、入力した制御操作量に対する該当プラント機器５０９での操作端の挙動を監視することができる。
【００２７】
ここで、上記制御対象となる操作端の呼び出しについては、オペレータがＣＲＴモニタ５０１の画面上に表示される系統画面の該当箇所を指先でタッチして行っている。従って、制御操作端の呼び出しには、系統画面を当ることが必要不可欠である。
【００２８】
次に、上記従来のＣＲＴオペレーション装置に用いられている操作Ｋ／Ｂについて説明する。
【００２９】
図１７は、従来のＣＲＴオペレーション装置の操作Ｋ／Ｂでの各操作キーの配置態様を示す説明図であり、また、図１８は、同上操作Ｋ／Ｂの各操作キーとその取り扱い態様例との関係を示す説明図である。
【００３０】
これらの図１７および図１８から明らかなように、従来例による操作Ｋ／Ｂ５０２には、この場合、操作スイッチが８ループ相当分用意されている。各グループ操作では、該８ループ該当の各操作スイッチがそのままで各操作キーに対応されている。そして、上記系統画面上での制御操作においては、該各操作キーの１ループ目から８ループ目までを対応させることで行うようにしている。
【００３１】
このために、極めて当然のことではあるけれども、操作Ｋ／Ｂ５０２における８ループの各操作キーの全体配置については、少なくとも、その全体寸法に相当する設置スペースの確保が必要とされており、このため、特に設置スペースが限られたエリアでは、他の機器類などの配置エリアをずらすことで該各操作キーを配置させたり、あるいは２台の表示装置に対して１台の操作Ｋ／Ｂを共用させるなどの処置を講じている。
【発明の開示】
【発明が解決しようとする課題】
【００３２】
しかしながら、上記構成による従来のプラント監視制御装置のＣＲＴオペレーション装置においては、先にも述べたように、オペレータの操作インタフェースが、従前から慣れ親しんできた制御盤面上での各操作端対応の操作スイッチ類から、表示装置のＣＲＴ画面上での操作フレームの画像表示に変えられるため、臨場感の不足、もしくは減少による操作感覚の低下に伴い、選択制御操作に誤認識を発生する惧れがある。さらには、プラントの各制御操作端に対するグループ操作、ＴＡＧ番号呼び出しで操作フレームを画面表示させる場合、各制御操作端の情報がフレーム画面のみであるために、選択した制御操作端の系統図上での位置付けなどの確認をしないままで操作を行うことによって、同様に、誤操作や誤確認を招く惧れがあるという問題点があった。
【００３３】
従って、本発明の第１の目的は、操作フレームのみが表示されている場合にあっても、画面表示された操作フレームから系統図、および関連データなどを呼び出して表示、あるいは自動表示させて、該当操作端の関連情報による認識度を高め、これによって誤操作、誤確認を防止できるようにしたオペレーション装置を提供することである。
【００３４】
また、上記従来の場合、操作端の呼び出しは、表示された系統画面の中から、該系統画面に登録されている各操作端をオペレータが選択し、該当操作端を指先でタッチして行うため、この該当操作端を呼び出すのには、対応する複数枚の系統画面を順次に切替え表示させ、これらの各系統画面の中から該当する操作端を探さなければならないという問題点もあった。
【００３５】
従って、本発明の第２の目的は、ＣＲＴの画面上に各操作端の一覧表を画面表示させた状態で、該一覧表の中から該当する操作端を呼び出し得るようにしたオペレーション装置を提供することである。
【００３６】
さらに、上記従来の場合での操作Ｋ／Ｂにおける各操作キーには、先に述べたような設置上の問題点があり、その改善を意図して、例えば、該操作Ｋ／Ｂの全体を縮小化することで、全体的な設置スペースを縮減するとしても、このような対応策では、操作スイッチを押し間違えて隣のループを押してしまい、これによって誤操作を招くという惧れがあった。
【００３７】
従って、本発明の第３の目的は、操作Ｋ／Ｂの設置スペースに関して、所要の機能を保持させたままで、その全体寸法を可及的に縮小すること、例えば、従来の１／３程度以下の限られたスペース範囲内に操作Ｋ／Ｂを効果的に設置することを可能にし、かつ正確な操作を行い得るようにしたオペレーション装置を提供することである。
【課題を解決するための手段】
【００３８】
上記各目的を達成するために、本発明に係る請求項１に記載の発明は、制御対象の各制御操作端を含むプラント、および該プラントの状態量の入力および制御出力を行う制御装置と、前記制御装置から情報入力手段を介して入力するプラント状態量を表示装置に表示させる対話処理手段と、前記表示装置からの各制御操作端の選択を受付けると共に、該選択された制御操作端の操作フレームを表示装置に表示させるフレーム表示対話処理手段と、操作入力装置からの制御操作を受付ける操作入力装置入出力手段と、制御操作信号を前記制御装置に出力する操作信号出力手段とを少なくとも有するオペレーション装置において、前記各制御操作端の映像を取込むＩＴＶ装置と、前記対話処理手段からの制御操作端識別情報に基づいて、前記ＩＴＶ装置から該当制御操作端の映像情報を得るＩＴＶ入出力手段と、前記対話処理手段からの制御操作端識別情報に基づいて、前記ＩＴＶ入出力手段からの映像情報、および前記フレーム表示対話手段からの操作フレーム情報を重ね合わせて前記表示装置に表示させるＩＴＶ情報重ね合わせ手段とを備えることを特徴としている。
【００３９】
本請求項１のオペレーション装置では、対話処理手段からの制御操作端識別情報に基づき、ＩＴＶ入出力手段からの選択された操作端に該当する映像情報と、フレーム表示対話手段からの操作フレーム情報とが、ＩＴＶ情報重ね合わせ手段で重ね合わされて表示装置の画面上に自動表示され、該自動表示される重ね合わせ映像情報が該当制御操作端に対する制御操作のための補助情報として用いられる。
【００４０】
本発明に係る請求項２に記載の発明は、制御対象の各制御操作端を含むプラント、および該プラントの状態量の入力および制御出力を行う制御装置と、前記制御装置から情報入力手段を介して入力するプラント状態量を表示装置に表示させる対話処理手段と、前記表示装置からの各制御操作端の選択を受付けると共に、該選択された制御操作端の操作フレームを表示装置に表示させるフレーム表示対話処理手段と、操作入力装置からの制御操作を受付ける操作入力装置入出力手段と、制御操作信号を前記制御装置に出力する操作信号出力手段とを少なくとも有するオペレーション装置において、前記各制御操作端の周辺音情報を取込む音情報収集手段と、前記対話処理手段からの制御操作端識別情報に基づいて、前記音情報収集手段からの該当制御操作端の周辺音情報を音声情報に切替えて出力する音声切替え装置と、前記切替えられた音声情報を出力する音声出力手段とを備えることを特徴としている。
【００４１】
本請求項２のオペレーション装置では、対話処理手段からの制御操作端識別情報に基づき、音情報収集手段からの選択された操作端に該当する周辺音情報が音声切替え装置によって音声情報に切替えられた上で、音声出力手段から音声出力され、該音声情報が該当制御操作端に対する制御操作のための補助情報として用いられる。
【００４２】
本発明に係る請求項３に記載の発明は、制御対象の各制御操作端を含むプラント、および該プラントの状態量の入力および制御出力を行う制御装置と、前記制御装置から情報入力手段を介して入力するプラント状態量を表示装置に表示させる対話処理手段と、前記表示装置からの各制御操作端の選択を受付けると共に、該選択された制御操作端の操作フレームを表示装置に表示させるフレーム表示対話処理手段と、操作入力装置からの制御操作を受付ける操作入力装置入出力手段と、制御操作信号を前記制御装置に出力する操作信号出力手段とを少なくとも有するオペレーション装置において、前記対話処理手段からの制御操作端識別情報に基づいて、前記操作入力装置入出力手段から出力される選択された制御操作端への操作情報、および前記フレーム表示対話手段から出力される操作情報を入力して該操作に基づく応答音を判定し、該判定結果の応答音情報を音声出力する操作結果判定手段と、前記操作結果判定手段による判定結果の音声情報を出力する音声出力装置とを設け、選択された制御操作端に対する制御操作時に、該当制御操作端フレームに関連する応答音情報を制御操作のための補助情報として出力可能にしたことを特徴としている。
【００４３】
本請求項３のオペレーション装置では、対話処理手段からの制御操作端識別情報に基づき、操作結果判定手段により、操作入力装置入出力手段からの制御操作端への操作情報、およびフレーム表示対話処理手段からの操作情報を入力して該操作に基づく応答音を判定し、かつ判定結果の応答音情報を音声出力装置から音声出力させ、該応答音情報が該当制御操作端に対する制御操作のための補助情報として用いられる。
【００４４】
本発明に係る請求項４に記載の発明は、制御対象の各制御操作端を含むプラント、および該プラントの状態量の入力および制御出力を行う制御装置と、前記制御装置から情報入力手段を介して入力するプラント状態量を表示装置に表示させる対話処理手段と、前記表示装置からの各制御操作端の選択を受付けると共に、該選択された制御操作端の操作フレームを表示装置に表示させるフレーム表示対話処理手段と、操作入力装置からの制御操作を受付ける操作入力装置入出力手段と、制御操作信号を前記制御装置に出力する操作信号出力手段とを少なくとも有するオペレーション装置において、登録されている全制御操作端番号および項目名称などを保存する制御操作端登録ファイルと、前記対話処理手段からの制御操作端識別情報に基づいて、前記制御操作端登録ファイルの各制御操作端番号および項目名称などを一覧表示させるリスト表示手段と、前記一覧表示から選択された該当制御操作端の制御操作端番号を制御操作端指令出力処理手段に通知する制御操作端選択手段とを設け、一覧表示された制御操作端番号から該当制御操作端を選択可能にしたことを特徴としている。
【００４５】
本請求項４のオペレーション装置では、一覧表示される制御操作端番号の中から該当制御操作端の選択がなされると共に、該選択された制御操作端番号が制御操作端選択手段によって制御操作端指令出力処理手段に通知される。
【００４６】
本発明に係る請求項５に記載の発明は、制御対象の各制御操作端を含むプラント、および該プラントの状態量の入力および制御出力を行う制御装置と、前記制御装置から情報入力手段を介して入力するプラント状態量を表示装置に表示させる対話処理手段と、前記表示装置からの各制御操作端の選択を受付けると共に、該選択された制御操作端の操作フレームを表示装置に表示させるフレーム表示対話処理手段と、操作入力装置からの制御操作を受付ける操作入力装置入出力手段と、制御操作信号を前記制御装置に出力する操作信号出力手段とを少なくとも有するオペレーション装置において、前記フレーム表示対話処理手段には、前記対話処理手段からの制御操作端識別情報に基づいて、前記表示装置に画面表示されている該当制御操作端の操作フレームを色替えする機能を与えたことを特徴としている。
【００４７】
本請求項５のオペレーション装置では、対話処理手段からの制御操作端識別情報に基づき、フレーム表示対話処理手段によって該当制御操作端での操作フレームの制御対応枠部が色替え表示される。
【発明の効果】
【００４８】
請求項１のオペレーション装置によれば、対話処理手段からの制御操作端識別情報に基づいて、ＩＴＶ入出力手段からの選択された制御操作端に該当する映像情報と、フレーム表示対話手段からの操作フレーム情報とが、ＩＴＶ情報重ね合わせ手段で重ね合わされて表示装置に自動表示されるので、該自動表示される重ね合わせ映像情報によって該当制御操作端の現場状態を確認しながら、該制御操作端に対する制御操作を行うことができる。
【００４９】
請求項２のオペレーション装置によれば、対話処理手段からの制御操作端識別情報に基づいて、音情報収集手段からの選択された制御操作端に該当する周辺音情報が音声切替え装置で音声情報に切替えられてスピーカから音声出力されるので、該音声情報によって該当制御操作端の現場状態を確認しながら、該制御操作端に対する制御操作を行うことができる。
【００５０】
請求項３のＣＲＴオペレーション装置によれば、操作入力装置入出力手段から出力される選択された制御操作端への操作情報と、フレーム表示対話手段から出力される操作情報とにより、操作に基づく応答音を操作結果判定手段で判定し、該判定結果の応答音情報を音声出力装置から音声出力させるようにしたので、該応答音情報によって該当制御操作端への制御操作に対する応答を容易に確認することができる。
【００５１】
請求項４のオペレーション装置によれば、対話処理手段からのリスト表示要求に基づいて、リスト表示手段により、制御操作端登録ファイルに保存されている各制御操作端番号および項目名称などを一覧表示させ、該一覧表示される制御操作端番号の中から該当制御操作端を容易に選択することができる。
【００５２】
請求項５のオペレーション装置によれば、対話処理手段からの制御操作端識別情報に基づき、フレーム表示対話処理手段によって該当制御操作端での操作フレームの制御対応枠部が色替え表示させるようにしたので、制御操作対象の該当部を容易に認識できて制御操作の的確性ならびに操作性の向上を図ることができ、合わせて操作ＰＢの簡略化と配置スペースの縮小化とが得られる。
【発明を実施するための最良の形態】
【００５３】
以下、本発明に係るプラント監視操作装置のＣＲＴオペレーション装置の各実施形態につき、図１ないし図１４の各図を参照して詳細に説明する。
【実施例１】
【００５４】
図１は、本発明の実施例１に係るＣＲＴオペレーション装置を含む基本的なプラント監視操作装置の構成の概要を示すブロック図である。また、図２は、同上実施例におけるＣＲＴオペレーション装置の主要部構成を取り出して示すブロック図である。
【００５５】
本実施例１によるＣＲＴオペレーション装置では、上記従来のＣＲＴオペレーション装置として示した図１５の基本構成に対し、図１および図２に示すように、操作フレームとその関連情報の登録／呼出部として操作フレーム付加データ登録・呼出手段１１０を新たに設けて表示装置１０７に接続させる。また、この操作フレーム付加データ登録・呼出手段１１０に対しては、前記対話処理手段１０５に付加されている画面情報記憶部１２０を共通に付加させると共に、操作端付加データ記憶部１２４を新たに付加させ、これによって各操作端への制御操作時に、該操作端に対応する画面情報を付加させるようにしたものである。
【００５６】
操作フレーム付加データ登録・呼出手段１１０には、図１に示すように、前記付加データが音声である場合に、該音声付加データを入出力するための音声入出力装置１１１を接続させる。この音声入出力装置１１１により、操作制御時に音声入力による付加データの画面表示もしくは音声出力をなし得るようにする。
【００５７】
フレーム表示対話手段１０６は、オペレータによって選択された操作端に対する操作フレームをフレーム情報記憶部１２１から読出し、これを表示装置１０７に画面表示させる。また、操作フレーム付加データ登録・呼出手段１１０に対して操作端番号を通知する。
【００５８】
操作フレーム付加データ登録・呼出手段１１０では、あらかじめオペレータが登録した関連画面情報（この場合、例えば、系統図などの関連画面情報）の画面番号を操作端付加データ記憶部１２４から読出し、該画面番号に該当する画面情報を画面情報記憶部１２０から読出して表示装置１０７に画面表示させる。さらに、必要に応じて、音声入力による付加データを画面表示もしくは音声出力させる。
【００５９】
オペレータが画面情報を操作端付加データとして登録する際には、操作フレーム付加データ登録・呼出手段１１０を用いて、まず、画面情報記憶部１２０からそれぞれの各画面情報を読み出して表示装置１０７に一旦、画面表示させる。ついで、オペレータは、該表示される各画面情報の中から該当する画面情報および関連する制御操作端を選択する。該操作フレーム付加データ登録・呼出手段１１０によって、この選択した画面情報（ここでは、画面番号）を該当制御操作端の呼出情報として操作端付加データ記憶部１２４へ登録することになる。また同様に、必要に応じて、音声入力による付加データを呼出情報として登録する。
【００６０】
ここで、操作端付加データの登録時に表示装置１０７のＣＲＴ画面に表示される概略的な表示の一例を図３に示す。この場合は、該当する操作端としての“開弁側、閉弁側への各制御操作ボタン表示および関連画面情報の呼出ボタン表示をそれぞれに含む××弁”と、該呼出ボタン表示によって呼出した関連画面情報としての“系統図”および“関連画面”とが表示されている。
【００６１】
以上のように、本実施例１の場合、オペレータは、表示装置１０７に操作端を含む操作フレームのみが画面表示されているときでも、該当操作端の操作付加データとして、その画面情報を呼出すことにより、該当操作端の系統図上での位置付けの確認が可能である。さらに、該操作端の制御操作によって制御動作されるプラントデータの画面情報の表示確認が可能になることから、オペレータの制御操作端誤選択が防止され、操作後のプラント状態の確認時における対話操作ステップの短縮により、負担が軽減されるという効果がある。
【実施例２】
【００６２】
次に、図４は、実施例２に係るＣＲＴオペレーション装置の主要部構成を取り出して示すブロック図であり、図１および図２に示す第１実兄体と同一部分には同一符号を付して重複する説明は省略する。
【００６３】
本実施例によるＣＲＴオペレーション装置は、前記実施例１の場合と同様に、操作フレーム付加データ登録・呼出手段１１０に対して操作端付加データ記憶部１２４を付加させ、さらに、イメージデータファイル記憶部１３０を新たに付加させたものである。これによって操作端に対する制御操作時に、該操作端に対応するイメージデータ情報を付加させるようにする。
【００６４】
フレーム表示対話手段１０６は、オペレータによって選択された制御操作端に対する操作フレームをフレーム情報記憶部１２１から読出して表示装置１０７に画面表示させ、かつ操作フレーム付加データ登録・呼出手段１１０に対して操作端番号を通知する。
【００６５】
操作フレーム付加データ登録・呼出手段１１０では、あらかじめオペレータが登録したイメージデータ情報（この場合、例えば、制御操作端の写真、補機の写真、現場操作スイッチの写真などのイメージデータ情報）の画面番号を操作端付加データ記憶部１２４から読出し、かつ該画面番号に該当するイメージデータ情報をイメージデータファイル記憶部１３０から読出して表示装置１０７に画面表示させる。
【００６６】
オペレータがイメージデータ情報を操作端付加データとして登録する際には、操作フレーム付加データ登録・呼出手段１１０を用いて、まず、あらかじめ写真撮影されたイメージデータ情報の記録ファイルであるイメージデータファイル記憶部１３０からそれぞれの各イメージデータ情報を読出して表示装置１０７に一旦、画面表示させる。ついで、オペレータは、該表示される各イメージデータ情報の中から、該当するイメージデータ情報および関連付ける制御操作端を選択する。このオペレータが選択したイメージデータ情報は、該操作フレーム付加データ登録・呼出手段１１０により、該当制御操作端の呼び出し情報として操作端付加データ記憶部１２４に登録される。
【００６７】
ここで、操作端付加データの登録時に表示装置１０７のＣＲＴ画面に表示される概略的な表示の一例を図５に示す。この場合は、該当する制御操作端としての“起動、停止の各制御操作ボタン表示および関連イメージデータ情報の呼出ボタン表示をそれぞれに含む××モータ”と、該呼出しボタン表示から呼び出した関連イメージデータ情報としての“補機イメージ”および“現場盤スイッチイメージ”とが表示されている。
【００６８】
以上のように、本実施例２の場合、上記第１実施形態の効果に加えて、オペレータは、表示装置１０７に操作端を含む操作フレームのみが画面表示されているときでも、該当操作端の操作付加データとして、そのイメージデータ情報を呼び出すことにより、該当操作端自身のイメージ画像や、補機のイメージ画像、それに、現場盤の操作スイッチのイメージ画像の表示確認が可能になる。これにより、オペレータによる制御操作の臨場感を高めることができる。
【実施例３】
【００６９】
図６は、本発明の実施例３を適用したＣＲＴオペレーション装置を含む基本的なプラント監視操作装置の構成の概要を示すブロック図である。
【００７０】
本実施例３によるＣＲＴオペレーション装置では、プラント２０１の各操作端から刻々に変化するプロセス状態量を映像データとして周期的に制御装置２０２に取込み、該取込まれた映像データのプロセス状態量を情報入力手段２０３によって演算処理などを行った後に、該演算処理された映像データのプロセス状態量を計算機内のＤＢ(Data Base）上で管理／保管させ、操作端に対する制御操作時に参照可能にしたものである。
【００７１】
対話処理手段２０７は、表示装置２１０からのオペレータの要求に基づいて、該要求に見合った対話画面情報（例えば、系統図情報など）を画面情報記憶部２０５から読出して、該当する画面情報を表示装置２１０のＣＲＴ画面に表示させる。
【００７２】
そして、表示装置２１０から制御操作端の呼び出し要求があると、フレーム表示対話手段２０８は、該要求に対応する操作端を認識し、該当制御操作端をフレーム情報記憶部２０６から読み出して表示装置２１０のＣＲＴ画面に表示させ、周期的に取り込まれるプロセス状態量の表示装置２１０への更新を行う。
【００７３】
オペレータが制御操作端を選択操作する際には、表示装置２１０に画面表示されている系統図などから該当制御操作端を選択して制御入力する。このとき、選択された制御操作端からの制御操作情報に基づき、フレーム表示対話手段２０８は、フレーム情報記憶部２０６から該当制御操作端を取出し、この該当操作端の画面情報をＩＴＶ(Industrial Television) 情報重ね合わせ手段２１２に通知する。
【００７４】
一方、表示装置２１０で選択された操作端からの制御操作情報は、対話処理手段２０７に対しても通知される。対話処理手段２０７は、制御操作情報に基づいて、該選択された操作端の識別情報をＩＴＶ入出力手段２１３とＩＴＶ情報重ね合わせ手段２１２とに通知する。
【００７５】
識別情報を受け取ったＩＴＶ入出力手段２１３は、ＩＴＶ装置２１４に識別情報を送り、このＩＴＶ装置２１４が該当する操作端のカメラ２１５に切替えることで、オペレータが選択した操作端の映像を撮り込むと共に、該映像をＩＴＶ情報重ね合わせ手段２１２に送る。
【００７６】
また、ＩＴＶ情報重ね合わせ手段２１２では、対話処理手段２０７から受け取った識別情報を基にして、フレーム表示対話手段２０８からの操作フレーム情報とＩＴＶ入出力手段２１３からの映像情報を重ね合わせ、該重ね合わせた情報を表示装置２１０に表示させる。
【００７７】
以上のように、本実施例３の場合には、オペレータによる対話処理手段２０７からの指令により、選択した制御操作端に該当するＩＴＶ入出力手段２１３からの映像信号、ひいては現場操作端の状態を映像として確認しながら、該操作端に対する制御操作を行うことができる。
【実施例４】
【００７８】
図７は、本発明の実施例４に係るＣＲＴオペレーション装置を含む基本的なプラント監視操作装置の構成の概要を示すブロック図である。
【００７９】
本実施例４によるＣＲＴオペレーション装置は、プラント３０１の各操作端から刻々に変化するプロセス状態量を音声データとして周期的に制御装置３０２に取込み、該取込まれた音声データのプロセス状態量を情報入力手段３０３によって演算処理などを行った後に、該演算処理された音声データのプロセス状態量を計算機内のＤＢ上で管理／保管、操作端に対する制御操作時に参照可能にしたものである。
【００８０】
対話処理手段３０７は、表示装置３１０からのオペレータの要求に基づいて、この要求に見合った対話画面情報（例えば、系統図情報など）を画面情報記憶部３０５から読出し、該当する画面情報を表示装置３１０のＣＲＴ画面に表示させる。
【００８１】
そして、表示装置３１０から操作端の呼び出し要求があると、フレーム表示対話手段３０８は、該要求に対応する制御操作端を認識し、該当する制御操作端をフレーム情報記憶部３０６から読出して、表示装置３１０のＣＲＴ画面に表示させ、周期的に取り込まれるプロセス状態量の表示装置３１０への更新を行う。
【００８２】
オペレータが制御操作端を選択操作する際には、表示装置３１０に画面表示されている系統図などから該当制御操作端を選択して対話処理手段３０７に通知する。対話処理手段３０７は、制御操作端の識別情報を音声切替え装置３１３に通知する。
【００８３】
また、制御操作端の識別情報を受取った音声切替え装置３１３は、該当する制御操作端の付近に配置された音情報収集手段としての、例えば、マイクロフォン３１２を選択して切替えることにより、該制御操作端、すなわち、オペレータが選択した制御操作端周辺の音を取込んで音声出力手段としての、例えば、スピーカ３１４から出力させる。これによって該当する制御操作端の動作状況が出力される周囲音から判断可能になる。
【００８４】
以上のように、本実施例４の場合には、オペレータによる対話処理手段３０７からの指令により、選択した制御操作端に該当するマイクロフォン３１２によって取込み、スピーカ３１４からの音声出力、すなわち、現場制御操作端周辺の状態を音声で確認しながら、該制御操作端に対する制御操作を行うことができる。
【実施例５】
【００８５】
図８は、本発明の実施例５を適用したＣＲＴオペレーション装置を含む基本的なプラント監視操作装置の構成の概要を示すブロック図である。
【００８６】
本実施例５によるＣＲＴオペレーション装置は、プラント４０１から刻々に変化するプロセス状態量を周期的に制御装置４０２に取込み、該取込まれるプロセス状態量を情報入力手段４０３によって演算処理などを行った後に、該演算処理されたプロセス状態量を計算機内のＤＢ上で管理／保管させるようにしたものである。
【００８７】
対話処理手段４０７は、表示装置４１０からのオペレータの要求に基づいて、この要求に見合った対話画面情報（例えば、系統図情報など）を画面情報記憶部４０５から読出し、該当する画面情報を表示装置４１０のＣＲＴ画面に表示させる。
【００８８】
そして、表示装置４１０から制御操作端の呼び出し要求があったときに、フレーム表示対話手段４０８は、該要求に対応する制御操作端を認識し、該当する制御操作端をフレーム情報記憶部４０６から読出して表示装置４１０のＣＲＴ画面に表示させ、周期的に取込まれるプロセス状態量の表示装置４１０への更新を行う。
【００８９】
オペレータが制御操作端を選択操作する際には、表示装置４１０に画面表示されている系統図などから該当する制御操作端を選択してフレーム対話手段４０８に通知する。フレーム対話手段４０７は、制御操作端の識別情報を操作結果判定手段４１２に通知する。
【００９０】
また、制御操作端の識別情報を受取った操作結果判定手段４１２に対しては、操作Ｋ／Ｂ入出力手段４０９を介して操作Ｋ／Ｂ４１１からの該当操作端への制御操作もまた入力される。この結果、該操作結果判定手段４１２は、入力される制御操作端の識別情報から操作信号出力音、操作端作動音、操作異常音などの応答音情報を判断し、該応答音情報を音声出力装置４１３によって出力させる。
【００９１】
以上のように、本実施例５の場合には、選択した制御操作端への操作Ｋ／Ｂ４１１による制御操作結果として操作結果判定手段４１２により出力される応答音、すなわち、操作に対する実行結果を応答音で確認しながら、該制御操作端に対する制御操作を行うことができる。
【実施例６】
【００９２】
図９は、本発明の実施例６を適用したＣＲＴオペレーション装置における構成の概要と制御操作指令の流れとを示すブロック図である。
【００９３】
図９において、本実施例６のＣＲＴオペレーション装置５００は、制御操作端への制御操作に際し、操作端登録ファイル５３０から該当制御操作端の項目名称などを一覧表示させることにより、制御操作端に対する制御操作時での選択を容易にしたものである。
【００９４】
ここで、操作端登録ファイル５３０には、図１０に示すように、操作端番号と操作端の項目名称とがあらかじめ登録／保存されている。
【００９５】
オペレータが、ＣＲＴオペレーション操作を行う制御操作端をＣＲＴモニタ５０１に表示させるために、ＣＲＴモニタ５０１からリスト表示手段５２０を介してリスト表示要求を行うと、操作端登録ファイル５３０は、本ＣＲＴオペレーション装置５００に登録されている全操作端の項目名称などを該モニタ５０１のＣＲＴ画面に一覧表示させる。
【００９６】
そこで、オペレータが、画面表示されている各制御操作端の中から、再度、該当する制御操作端ラインをタッチ選択することで、操作端選択手段５２１は、該選択された制御操作端ライン位置から目的とする操作端番号を割り出して操作端指令出力処理手段５０５に通知する。以後は、先に従来例の図１６で述べた処理が同様になされ、結果的に、該当制御操作端における制御動作、ならびに動作結果の画面表示が行われる。
【００９７】
以上のように、本実施例６の場合には、オペレータによるＣＲＴモニタ５０１からのリスト表示要求に対応して、該ＣＲＴモニタ５０１に各操作端の項目名称などが画面表示されることから、複数枚の系統画面に亘って該当する制御操作端を見出す必要がなくなり、一覧画面の中から目的の制御操作端を容易に呼出すことができる。
【実施例７】
【００９８】
図１１は、本発明の実施例７に係るＣＲＴオペレーション装置を含む基本的なプラント監視操作装置の構成の概要を示すブロック図である。
【００９９】
本実施例７によるＣＲＴオペレーション装置は、プラント６０１から刻々に変化するプロセス状態量を周期的に制御装置６０２に取込み、該取込まれるプロセス状態量を情報入力手段６０３によって演算処理などを行った後に、該演算処理されたプロセス状態量を計算機内のＤＢ上で管理／保管させるようにするものである。
【０１００】
対話処理手段６０７は、表示装置６１０からのオペレータの要求に基づいて、この要求に見合った対話画面情報（例えば、系統図情報など）を画面情報記憶部６０５から読出し、該当する画面情報を表示装置６１０のＣＲＴ画面に表示させる。
【０１０１】
そして、表示装置６１０から制御操作端の呼び出し要求があったときに、フレーム表示対話手段６０８は、該要求に対応する操作端を認識し、該当制御操作端をフレーム情報記憶部６０６から読出して表示装置６１０のＣＲＴ画面に表示させ、周期的に取込まれるプロセス状態量の表示装置６１０への更新を行うようにする。
【０１０２】
オペレータが制御操作端を選択操作する際には、表示装置６１０に画面表示されている該当制御操作端の動作ＰＢ(Push Button) 、例えば、起動／停止ＰＢ、開／閉ＰＢなどを選択し、フレーム表示対話手段６０８から操作Ｋ／Ｂ入出力手段６０６を介して操作Ｋ／Ｂ６１１の対応する操作ＰＢをフリッカ表示させる。これにより、何れの操作ＰＢを操作するかをオペレータに認識させる。また、該当する制御操作端についても、操作Ｋ／Ｂ６１１に対応して該当操作端枠を色替えして認識させる。
【０１０３】
この結果、該当する操作ＰＢの操作で出力される制御信号は、操作Ｋ／Ｂ入出力手段６０６によって出力データに置替えられ、操作信号出力手段６０４から制御装置６０２に通知されることで、所要の操作端動作が実現されるのである。
【０１０４】
図１２は、本実施例７のＣＲＴオペレーション装置における操作Ｋ／Ｂ６１１での各操作ＰＢ１０８の配置態様を示す説明図である。図１３は、同上操作Ｋ／Ｂ６１１の各操作ＰＢ１０８とその取扱い態様例との関係を示す説明図である。
【０１０５】
これらの図１２、図１３に示すように、８ループ相当分の操作スイッチ群に対して２個１組の操作ＰＢ１０８が配置されている。
【０１０６】
先に図１７、図１８で述べた従来例の場合には、操作端と操作Ｋ／Ｂを１対１にリンクさせているため、例えば、４番目の操作ＰＢを操作しようとして５番目の操作ＰＢを操作してしまうなどの操作ミスを生ずる惧れがあり、操作に際して十分な意識の集中が必要であった。
【０１０７】
これに対して、本実施例７による操作Ｋ／Ｂ６１１の操作は、表示される８ループ画面で特定ループ、つまり、特定操作端での開動作を選択した場合、まず、該当操作端の操作枠を赤色に色替え表示させ、さらに、操作Ｋ／Ｂ６１１に向って左側を赤色表示、右側を緑色表示などのようにあらかじめ決めておくことで、何れの操作ＰＢ１０８が該当するかを容易に認識できるようにする。これによって制御操作の的確性ならびに操作性の向上を図り、合わせて操作ＰＢ１０８の簡略化と配置スペースの縮小化とが得られる。
【０１０８】
さらに、図１４には、特殊な操作フレームの表示例と本第７実施形態での操作ＰＢとの関係を示してある。
【０１０９】
これは、前記表示例において、操作フレームの表示位置および表示すべき情報を取込んだ操作フレーム画面のレイアウトを表示するものである。
【０１１０】
すなわち、このようにレイアウト表示をすることにより、操作フレームの大きさを意識せずに表示でき、各操作フレームについてもマルチウインドウ方式を取入れることで、装置メモリが許容する限りの複数枚の表示が可能になる。
【図面の簡単な説明】
【０１１１】
【図１】本発明の実施例１に係るオペレーション装置を含む基本的なプラント監視操作装置の構成の概要を示すブロック図である。
【図２】同上実施例１におけるオペレーション装置の主要部構成を取出して示すブロック図である。
【図３】同上実施例１での概略的な画面表示例を示す説明図である。
【図４】本発明の実施例２に係るオペレーション装置の主要部構成を取出して示すブロック図である。
【図５】同上実施例２での概略的な画面表示例を示す説明図である。
【図６】本発明の実施例３に係るオペレーション装置を含む基本的なプラント監視操作装置の構成の概要を示すブロック図である。
【図７】本発明の実施例４に係るオペレーション装置を含む基本的なプラント監視操作装置の構成の概要を示すブロック図である。
【図８】本発明の実施例５に係るオペレーション装置を含む基本的なプラント監視操作装置の構成の概要を示すブロック図である。
【図９】本発明の実施例６に係るオペレーション装置における構成の概要と制御操作指令の流れとを示すブロック図である。
【図１０】同上実施例６における操作端登録ファイルの概略的な構成例を示す説明図である。
【図１１】本発明の実施例７に係るオペレーション装置を含む基本的なプラント監視操作装置の構成の概要を示すブロック図である。
【図１２】同上実施例７における操作Ｋ／Ｂでの各操作ＰＢの配置態様を示す説明図である。
【図１３】同上実施例７における操作Ｋ／Ｂの各操作ＰＢとその取扱い態様例との関係を示す説明図である。
【図１４】同上実施例７における特殊な操作フレームの表示例と操作ＰＢとの関係を示す説明図である。
【図１５】従来のオペレーション装置を含むプラント監視操作装置の基本的な構成の概要を示すブロック図である。
【図１６】同上従来のオペレーション装置の構成の概要と制御操作指令の流れとを示すブロック図である。
【図１７】同上従来のオペレーション装置における操作Ｋ／Ｂの各操作キーの配置態様を示す説明図である。
【図１８】同上従来のオペレーション装置における操作Ｋ／Ｂの各操作キーとその取扱い態様例との関係を示す説明図である。
【符号の説明】
【０１１２】
１０１…プラント、１０２…制御装置、１０３…情報入力手段、１０４…操作信号出力手段、１０５…対話処理手段、１０６…フレーム表示対話手段、１０７…表示装置、１０８…操作Ｋ／Ｂ（操作入力装置、操作キーボード）、１０９…操作Ｋ／Ｂ（操作入力装置）入出力手段、１１０…操作フレーム付加データ登録・呼出手段、１１１…音声入出力装置。１２０…画面情報記憶部、１２１…フレーム情報記憶部、１２２…グループ操作端情報記憶部、１２３…操作フレーム（ＴＡＧ）番号情報記憶部、１２４…操作端付加データ記憶部。１３０…イメージデータファイル記憶部。２０１…プラント、２０２…制御装置、２０３…情報入力手段、２０４…操作信号出力手段、２０５…画面情報記憶部、２０６…フレーム情報記憶部、２０７…対話処理手段、２０８…フレーム表示対話手段、２０９…操作Ｋ／Ｂ入出力手段、２１０…表示装置、２１１…操作Ｋ／Ｂ、２１２…ＩＴＶ情報重ね合わせ手段、２１３…ＩＴＶ入出力手段、２１４…ＩＴＶ装置、２１５…カメラ。３０１…プラント、３０２…制御装置、３０３…情報入力手段、３０４…操作信号出力手段、３０５…画面情報記憶部、３０６…フレーム情報記憶部、３０７…対話処理手段、３０８…フレーム表示対話手段、３０９…操作Ｋ／Ｂ入出力手段、３１０…表示装置、３１１…操作Ｋ／Ｂ、３１２…マイクロフォン（音情報収集手段）、３１３…音声切替え装置、３１４…スピーカ（音声出力手段）。４０１…プラント、４０２…制御装置、４０３…情報入力手段、４０４…操作信号出力手段、４０５…画面情報記憶部、４０６…フレーム情報記憶部、４０７…対話処理手段、４０８…フレーム表示対話手段、４０９…操作Ｋ／Ｂ入出力手段、４１０…表示装置、４１１…操作Ｋ／Ｂ、４１２…操作結果判定手段、４１３…音声出力手段。５００…オペレーション装置、５０１…ＣＲＴモニタ、５０２…操作Ｋ／Ｂ、５０４…操作量設定手段、５０５…操作端指令出力処理手段、５０６…プラント情報読込手段、５０７…プラント情報表示手段、５０８…下位制御装置、５０９…プラント。５２０…リスト表示手段、５２１…操作端選択手段。５３０…操作端登録ファイル。６０１…対象プラント、６０２…制御装置、６０３…情報入力手段、６０４…操作信号出力手段、６０５…画面情報記憶部、６０６…フレーム情報記憶部、６０７…対話処理手段、６０８…フレーム表示対話手段、６０９…操作Ｋ／Ｂ入出力手段、６１０…表示装置、６１１…操作Ｋ／Ｂ。
【図１】
0004413914.tif 000002
【図２】
0004413914.tif 000003
【図３】
0004413914.tif 000004
【図４】
0004413914.tif 000005
【図５】
0004413914.tif 000006
【図６】
0004413914.tif 000007
【図７】
0004413914.tif 000008
【図８】
0004413914.tif 000009
【図９】
0004413914.tif 000010
【図１０】
0004413914.tif 000011
【図１１】
0004413914.tif 000012
【図１２】
0004413914.tif 000013
【図１３】
0004413914.tif 000014
【図１４】
0004413914.tif 000015
【図１５】
0004413914.tif 000016
【図１６】
0004413914.tif 000017
【図１７】
0004413914.tif 000018
【図１８】
0004413914.tif 000019